(57)【要約】      （修正有）【課題】軽質蓋板の内表面には対応するように複数個の支持リブが形成されることにより、軽質蓋板の肉厚と重量を減らし、軽質蓋板の構造の強度を高めることができるため、重心位置を調整し、さらに打球の安定性を高めることができる。【解決手段】軽質蓋板１には上蓋部１１と後側周壁部１２が形成される。ヘッド本体２にはフェース板部２１、クラウン部２２とソール板部２３が形成される。軽質蓋板１は対応するようにヘッド本体２に結合されることにより、共同でゴルフクラブヘッドを形成する。軽質蓋板１は低比重の金属材質により製成され、そして肉厚は０．６ｍｍより小さいため、ゴルフクラブヘッドの重心位置を低く抑えることができる。支持リブ１３は軽質蓋板１の内表面に設けられることにより、軽質蓋板１の構造の強度を増強することができる。【選択図】図１
0003126818.tif 000002
【実用新案登録請求の範囲】
【請求項１】
ヘッド本体（２）、軽質蓋板（１）および複数個の支持リブ（１３）を含むゴルフクラブヘッドの構造であって、軽質蓋板（１）の肉厚は０．６ｍｍより小さく、さらに軽質蓋板（１）には上蓋部（１１）と後側周壁部（１２）が形成され、軽質蓋板（１）はヘッド本体（２）に結合され、複数個の支持リブ（１３）は軽質蓋板（１）の内表面に設けられると共に、軽質蓋板（１）の構造の強度を増強するのに用いられ、軽質蓋板（１）はヘッド本体（２）に対応するように結合されることにより、共同でゴルフクラブヘッドを形成することを特徴とするゴルフクラブヘッドの構造。
【請求項２】
軽質蓋板（１）はチタン合金の蓋板、フェロ−マンガン−アルミ合金の蓋板、アルミ合金の蓋板またはマグネシウム合金の蓋板から選択することを特徴とする請求項１記載のゴルフクラブヘッドの構造。
【請求項３】
軽質蓋板（１）には上蓋部（１１）と後側周壁部（１２）が一体になるように形成されることを特徴とする請求項１記載のゴルフクラブヘッドの構造。
【請求項４】
ヘッド本体（２）にはフェース板部（２１）、クラウン部（２２）とソール板部（２３）が一体になるように形成されることを特徴とする請求項１記載のゴルフクラブヘッドの構造。
【請求項５】
支持リブ（１３）は軽質蓋板（１）の上蓋部（１１）の内表面に対応するように形成されることを特徴とする請求項１記載のゴルフクラブヘッドの構造。
【請求項６】
支持リブ（１３）の設置方向はヘッド本体（２）のフェース板部（２１）とは垂直になるように設けられ、そして支持リブ（１３）は互いに平行して配列するように設けられることを特徴とする請求項５記載のゴルフクラブヘッドの構造。
【請求項７】
軽質蓋板（１）には第一結合部が形成され、ヘッド本体（２）には第二結合部が形成され、そして上記第一結合部は上記第二結合部に対応するように結合されることを特徴とする請求項１記載のゴルフクラブヘッドの構造。
【請求項８】
上記第一結合部には蓋板結合部と後側周壁結合部が設けられ、そして上記第二結合部にはクラウン板結合部とソール板結合部が設けられることを特徴とする請求項７記載のゴルフクラブヘッドの構造。
【請求項９】
上記蓋板結合部には上結合側（１１１）が設けられ、そして上記クラウン板結合部にも上結合側（２２１）とサイド結合部（２２２）が設けられ、さらに上記蓋板結合部の上結合側（１１１）は上記クラウン板結合部の上結合側（２２１）とサイド結合部（２２２）に対応するように結合されることを特徴とする請求項８記載のゴルフクラブヘッドの構造。
【請求項１０】
上記後側周壁結合部には底結合側（１２１）が設けられ、そして上記ソール板結合部にも底結合側（２３１）が設けられ、さらに上記後側周壁結合部の底結合側（２３１）は上記ソール板結合部の底結合側（２３１）に対応するように結合されることを特徴とする請求項８記載のゴルフクラブヘッドの構造。
【請求項１１】
軽質蓋板（１）の比重は相対的にヘッド本体（２）の比重より小さくなるように形成されることを特徴とする請求項１記載のゴルフクラブヘッドの構造。
【考案の詳細な説明】
【技術分野】
【０００１】
本考案は、ゴルフクラブヘッドの構造に関するもので、特に軽質蓋板の内表面において複数個の支持リブを設け、さらに上記軽質蓋板は低比重の金属材質により製成されることにより、構造の強度を高めると共に、重心位置を調整することができるゴルフクラブヘッドの構造に係るものである。
【背景技術】
【０００２】
従来のゴルフクラブヘッドの構造としては、アメリカ特許番号第６，７８３，４６５号においては、ヘッド本体とフェース板が含まれる。上記ヘッド本体には正面、クラウン部とソール部が形成される。上記フェース板は対応するように上記ヘッド本体の正面に結合される。上記ヘッド本体のクラウン部には対応するように複数個の凹欠溝が設けられ、上記凹欠溝の設置方向は選択的に上記フェース板に平行するように形成されることにより、ゴルフクラブヘッドの弾性変形の自由度を高めることができる。その他に、上記ヘッド本体のソール部には複数個の突出リブが設けられ、上記複数個の突出リブは上記ソール部の構造の強度を高めるのに用いられると同時に、ゴルフクラブヘッドの重心位置を低く抑え、さらに打球の安定性を増やすことができるようにとしたものがある（例えば、特許文献１を参照）。
【特許文献１】アメリカ特許番号第６，７８３，４６５号
【考案の開示】
【考案が解決しようとする課題】
【０００３】
上記のような従来のゴルフクラブヘッドの構造においては、一般として下記の問題点を有する。例えば、上記ヘッド本体のクラウン部の凹欠溝とソール部の突出リブによりゴルフクラブヘッドの重心位置を低く抑えることができるが、上記クラウン部には凹欠溝が設けられるため、上記クラウン部の肉厚は必然的に上記凹欠溝の深さより大きくなる。これにより、上記凹欠溝は実際として上記クラウン部の重量を有効に減らすことができないため、ゴルフクラブヘッドの重心位置を低く抑えて打球の安定性を増やすことができないという問題点があった。このように、上記のような従来のゴルフクラブヘッドの構造をさらに改良しなければならない。
【０００４】
本考案はこのような問題点に鑑みて考案したものであって、その目的とするところは、比較的薄い肉厚を有する軽質蓋板の内表面において複数個の支持リブを形成し、そして上記軽質蓋板は低比重の材質により製成されることにより、軽質蓋板の肉厚と重量を有効に減らすと共に、上記軽質蓋板の構造の強度を維持することができる。また、上記軽質蓋板には上蓋部と後側周壁部が形成され、そしてヘッド本体にはフェース板とソール部が形成され、上記軽質蓋板は対応するようにヘッド本体に結合されることにより、共同でゴルフクラブヘッドを形成することができる。これにより、確実に相対的に結合の構造を簡単にし、さらに重心位置を調整することができるため、製造上の困難度を有効に改善すると共に、打球の安定性を高めることができるゴルフクラブヘッドの構造を提供しようとするものである。
【０００５】
本考案の第一の目的は、比較的薄い肉厚を有する軽質蓋板は選択的に低比重の金属材質により製成され、さらに上記軽質蓋板の内表面には対応するように複数個の支持リブが形成されることにより、軽質蓋板の肉厚と重量を減らすと同時に、軽質蓋板の構造の強度を高めることができるため、重心位置を調整し、さらに打球の安定性を高めることができるゴルフクラブヘッドの構造を提供しようとするものである。
【０００６】
本考案の第二の目的は、軽質蓋板には一体成形になるように上蓋部と後側周壁部が形成され、そしてヘッド本体には一体成形になるようにフェース板とソール部が形成され、上記軽質蓋板は対応するようにヘッド本体に結合されることにより、確実に相対的に結合の構造を簡単にし、製造上の困難度を有効に改善することができるゴルフクラブヘッドの構造を提供しようとするものである。
【課題を解決するための手段】
【０００７】
上記目的を達成するために、本考案によるゴルフクラブヘッドの構造は、下記のようになるものである。すなわち、
ヘッド本体、軽質蓋板および複数個の支持リブが含まれる。軽質蓋板の肉厚は０．６ｍｍより小さく、さらに軽質蓋板には上蓋部と後側周壁部が形成され、軽質蓋板はヘッド本体に結合される。複数個の支持リブは軽質蓋板の内表面に設けられると共に、軽質蓋板の構造の強度を増強するのに用いられる。軽質蓋板はヘッド本体に対応するように結合されることにより、共同でゴルフクラブヘッドを形成する。
【０００８】
本考案によるゴルフクラブヘッドの構造は、軽質蓋板はチタン合金の蓋板、フェロ−マンガン−アルミ合金の蓋板、アルミ合金の蓋板またはマグネシウム合金の蓋板から選択することもできる。また、軽質蓋板には上蓋部と後側周壁部が一体になるように形成することもできる。また、ヘッド本体にはフェース板部、クラウン部とソール板部が一体になるように形成することもできる。また、支持リブは軽質蓋板の上蓋部の内表面に対応するように形成することもできる。また、支持リブの設置方向は選択的にヘッド本体のフェース板部とは垂直になるように設けられ、そして支持リブは互いに平行して配列するように設けることもできる。また、軽質蓋板に第一結合部を形成し、ヘッド本体に第二結合部を形成し、そして第一結合部は第二結合部に対応するように結合することもできる。また、第一結合部には蓋板結合部と後側周壁結合部が設けられ、そして第二結合部にはクラウン板結合部とソール板結合部が設けられることもできる。また、蓋板結合部には上結合側が設けられ、そしてクラウン板結合部にも上結合側とサイド結合部が設けられ、さらに蓋板結合部の上結合側は対応するようにクラウン板結合部の上結合側とサイド結合部に結合されることもできる。また、後側周壁結合部には底結合側が設けられ、そしてソール板結合部にも底結合側が設けられ、さらに後側周壁結合部の底結合側は対応するようにソール板結合部の底結合側に結合されることもできる。また、軽質蓋板の比重は相対的にヘッド本体の比重より小さくなるように形成されることもできる。
【考案の効果】
【０００９】
本考案のゴルフクラブヘッドの構造によれば、比較的薄い肉厚を有する軽質蓋板は選択的に低比重の金属材質により製成され、さらに上記軽質蓋板の内表面には対応するように複数個の支持リブが形成されることにより、軽質蓋板の肉厚と重量を減らすと同時に、軽質蓋板の構造の強度を高めることができるため、重心位置を調整し、さらに打球の安定性を高めることができるという利点がある。
【００１０】
本考案のゴルフクラブヘッドの構造によれば、軽質蓋板には一体成形になるように上蓋部と後側周壁部が形成され、そしてヘッド本体には一体成形になるようにフェース板とソール部が形成され、上記軽質蓋板は対応するようにヘッド本体に結合されることにより、確実に相対的に結合の構造を簡単にし、製造上の困難度を有効に改善することができるという利点がある。
【考案を実施するための最良の形態】
【００１１】
本考案の実施の形態について、以下、図面を参照して説明する。
【００１２】
図１、２、３を参照すると、本考案の実施例のゴルフクラブヘッドの構造は好ましくは選択的にウッド型のヘッドの構造からなり、上記ヘッドには軽質蓋板１とヘッド本体２が含まれ、軽質蓋板１は対応するようにヘッド本体２の上側に結合されることにより、共同でゴルフクラブヘッドを形成する。軽質蓋板１は相対的に比較的低い比重の金属材質（例えば、チタン合金、フェロ−マンガン−アルミ、アルミ合金またはマグネシウム合金などの金属材質）から選択して製成し、さらに軽質蓋板１は比較的薄い肉厚を有し、その肉厚は好ましくは０．６ｍｍより小さいため、軽質蓋板１の体積と重量をさらに低く抑えることができる。
【００１３】
再び図１、２、３を参照すると、本考案の実施例のヘッド本体２は相対的に比較的高い比重の金属材質（例えば、炭素鋼、低炭素鋼、ステンレス鋼、合金鋼、低合金鋼、麻鋼、鋳鉄、ニッケル合金または構造用鋼などの金属または合金などの金属材質）から選択して製成することにより、軽質蓋板１はヘッド本体２と比較して比較的低い比重を有するため、ゴルフクラブヘッドの重心位置をさらに低く抑えることができる。
【００１４】
再び図１、２、３を参照すると、本考案の実施例の軽質蓋板１には一体成形になるように上蓋部１１、後側周壁部１２と複数個の支持リブ１３が形成される。上蓋部１１と後側周壁部１３にはそれぞれ蓋板結合部（表示せず）と後側周壁結合部（表示せず）が形成され、そして上記蓋板結合部と後側周壁結合部は共同で第一結合部（表示せず）を形成することにより、対応するようにヘッド本体２を結合することができる。上記蓋板結合部には上結合側１１１が設けられ、上結合側１１１は上蓋部１１の端縁に位置するように形成される。上記後側周壁結合部には底結合側１２１が設けられ、底結合側１２１は後側周壁部１２の底部の端縁に位置するように形成される。支持リブ１３は選択的に上蓋部１１の内表面に平行に配列するように設置されることにより、軽質蓋板１の構造の強度を増強し、軽質蓋板１が衝撃を受けた時に変形が生じるのを防止することができる。また、支持リブ１３は選択的にパンチングまたは酸洗いなどの成形の方式を利用して一体成形になるように上蓋部１１の内表面に成形することができる。
【００１５】
再び図１、２、３を参照すると、本考案の実施例のヘッド本体２には一体成形になるようにフェース板部２１、クラウン部２２とソール板部２３が形成される。フェース板部２１はクラウン部２２とソール板部２３との間に位置するように形成され、そしてゴルフクラブヘッドの正面に位置するように形成される。クラウン部２２とソール板部２３にはそれぞれクラウン板結合部（表示せず）とソール板結合部（表示せず）が形成され、そして上記クラウン板結合部とソール板結合部は共同で第二結合部（表示せず）を形成することにより、対応するように軽質蓋板１の上記第一結合部を結合することができる。上記クラウン板結合部には上結合側２２１とサイド結合部２２２が設けられ、上結合側２２１はクラウン部２２のサイド端縁に位置するように形成され、サイド結合部２２２はヘッド本体２のサイド周壁の端縁の位置に形成され、そして上結合側２２１と隣接するように形成される。上記ソール板結合部には底結合側２３１が設けられ、底結合側２３１はソール板部２３のリップ縁の位置に位置するように形成される。また、ヘッド本体２にもホーゼル２４が設けられ、ホーゼル２４はクラウン部２２の一端に設置され、ホーゼル２４は対応するようにシャフト（図示せず）を設置するのに用いられる。
【００１６】
再び図１、２、３を参照すると、本考案の実施例のゴルフクラブヘッドの構造を組み立てる時、軽質蓋板１の第一結合部は対応するようにヘッド本体２の第二結合部に結合される。この時、軽質蓋板１の上結合側１１１は対応するようにヘッド本体２の上結合側２２１とサイド結合部２２２に結合される。軽質蓋板１の底結合側１２１は対応するようにヘッド本体２の底結合側２３１に結合される。軽質蓋板１とヘッド本体２との組み立てを初歩的に完成した後、さらに進んで選択的に溶接、硬ろう付け、貼接または螺合などの方式を利用して結合することにより、軽質蓋板１とヘッド本体２は共同で本考案のゴルフクラブヘッドを完成することができる。
【００１７】
再び図１、２、３を参照すると、本考案の実施例の軽質蓋板１の肉厚は０．６ｍｍより小さく、また軽質蓋板１は選択的に低比重の材質により製成されることにより、軽質蓋板１の体積と重量を大幅に低く抑えることができ、さらにゴルフクラブヘッドの重心位置を低く抑えると共に、弾性変形の能力を高めることができる。他に、軽質蓋板１の肉厚が薄過ぎることにより、支持の強度が低過ぎるため、軽質蓋板１の支持リブ１３は好ましくは選択的にヘッド本体２のフェース板部２１とは垂直になる方向で配列するように設置されることにより、軽質蓋板１に充分な支持の強度を提供し、さらにゴルフクラブヘッドの構造を有効に高めることができる。
【産業上の利用可能性】
【００１８】
上述の如く、従来のゴルフクラブヘッドの構造によれば、ヘッド本体のクラウン部とソール部においてそれぞれ複数個の凹欠溝と複数個の突出リブを設けてゴルフクラブヘッドの重心位置を調整することができるが、上記凹欠溝の設置により上記クラウン部の肉厚は必然的に上記凹欠溝の深さより大きくなるため、上記凹欠溝は実際としてゴルフクラブヘッドの重心位置を低く抑えることができないなどの問題点があったが、図１に示す本考案のゴルフクラブヘッドの構造によれば、比較的薄い肉厚を有する軽質蓋板１の内表面において支持リブ１３を形成し、さらに軽質蓋板１は選択的に低比重の金属材質により製成されることにより、軽質蓋板１の肉厚と重量を有効に減らすと共に、軽質蓋板１の構造の強度を維持することができるため、ゴルフクラブヘッドの重心位置を確実に調整し、構造の強度を高め、さらに打球の安定性を有効に高めることができる。
【００１９】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２０】
【図１】本考案の実施例のゴルフクラブヘッドの構造を示す分解斜視図である。
【図２】本考案の実施例のゴルフクラブヘッドの構造による組み立てられた状態を示す平面図である。
【図３】本考案の実施例のゴルフクラブヘッドの構造による組み立てられた状態を示す断面図である。
【符号の説明】
【００２１】
１    軽質蓋板                        １１    上蓋部
１１１    上結合側                        １２    後側周壁部
１２１    底結合側                        １３    支持リブ
２    ヘッド本体                      ２１    フェース板部
２２    クラウン部                    ２２１    上結合側
２２２    サイド結合部                    ２３    ソール板部
２３１    底結合側                        ２４    ホーゼル
【図１】
0003126818.tif 000003
【図２】
0003126818.tif 000004
【図３】
0003126818.tif 000005